(57)【要約】  記録媒体のような取り外し可能で書き換え可能なディスクに、デジタル情報信号を記録する記録装置が提案される。前記装置は、前記デジタル情報信号を記録する書き込み手段（２１、２２、２５）及び前記記録を制御する制御手段（２０）を有する。前記装置は、前記媒体のユーザー領域（ＵＡ）のユーザーデータをアドレス指定する第１のファイルシステムデータ及び第２のファイルシステムデータを格納できる。前記制御手段（２０）は、２つのファイルシステムのパーティションが同じ位置から開始するようパーティションを定義し、第２のファイルシステムディレクトリエントリーを第１のファイルシステムパーティションの外側に格納するために利用される。従って、２つのファイルシステムにそれらのファイルエントリーを共有させることにより、ファイルシステムデータの取り扱いに要する時間及び領域を削減する。同時に、媒体が第１のファイルシステムの制御下にある時に、第２のファイルシステムのディレクトリエントリーが削除されるのを防ぐ。
2007512647.tif 000002
【特許請求の範囲】
【請求項１】
装置であって、記録媒体のような取り外し可能で書き換え可能なディスクのアドレス可能な位置にデジタル情報信号を記録し、前記媒体は、前記デジタル情報信号を表すユーザーデータを記録するユーザー領域、前記ユーザー領域の外側の欠陥管理のための代替領域を有する予備領域、前記ユーザー領域の外側且つ前記予備領域の外側の代替領域のアドレスリストを有する欠陥表を記録するテーブル領域、及び前記ユーザー領域の内側の欠陥領域を有し、前記装置は、
前記媒体に前記デジタル情報信号を記録する記録手段；
前記媒体に記録された前記デジタル情報信号を読み取る読み取り手段；及び
前記デジタル情報信号の記録を制御する制御手段
を有し、
前記ユーザーデータを指す第１のファイルシステムのディレクトリ及びファイルエントリーを記録する第１のファイルシステムのパーティションを前記媒体のユーザー領域の内側に定義する場合、前記第１のファイルシステムのパーティションは、第１の位置から開始し、及び前記ユーザーデータを指す第２のファイルシステムのディレクトリ及びファイルエントリーを記録する第２のファイルシステムのパーティションを前記媒体に定義する場合、前記第２のファイルシステムのパーティションは、実質的に前記ユーザー領域と重複し第２の位置から開始し、
前記制御手段が適用されると、前記第１の位置は前記第２の位置と同一であるように２つのパーティションを定義し、前記第１のファイルシステムのパーティションの外側に外側部分を有する前記第２のファイルシステムのパーティションを定義する
ことを特徴とする、装置。
【請求項２】
前記制御手段が適用されると、前記外側部分を前記ユーザー領域の内側に定義することを特徴とする、請求項１記載の装置。
【請求項３】
前記制御手段が適用されると、前記外側部分を前記ユーザー領域の外側に定義することを特徴とする、請求項１記載の装置。
【請求項４】
前記制御手段が適用されると、前記外側部分を前記予備領域の外側に定義し、前記外側部分と重複する前記予備領域の重複部分を前記欠陥表に使用不可としてマークすることを特徴とする、請求項３記載の装置。
【請求項５】
前記制御手段が適用されると、前記欠陥表から前記重複部分の内側の記録されたユーザーデータを有する代替領域の代替領域アドレスを検索し、前記代替領域アドレスに従い前記代替領域の場所を特定し、前記欠陥表から前記重複部分の外側のユーザーデータを有さない空き代替領域の空き代替領域アドレスを検索し、前記空き代替領域アドレスに従い前記空き代替領域の場所を特定し、前記記録されたユーザーデータを前記代替領域から読み出し、前記代替領域から読み出された前記ユーザーデータを前記空き代替領域に記録し、及び前記代替領域を前記欠陥表に使用不可としてマークすることを特徴とする、請求項４記載の装置。
【請求項６】
前記制御手段が適用されると、前記予備領域を有する前記第２のファイルパーティションを定義することを特徴とする、請求項１乃至５の何れか記載の装置。
【請求項７】
前記媒体は、前記予備領域及び前記ユーザー領域の外側に追加の代替領域を有する追加の予備領域を有し、前記欠陥表は、前記追加の代替領域のアドレスを有し、前記制御手段が適用されると、前記追加の予備領域を前記欠陥表に使用不可としてマークすることを特徴とする、請求項１乃至５の何れか記載の装置。
【請求項８】
前記制御手段が適用されると、前記欠陥表から記録されたユーザーデータを有する追加の代替領域の追加の代替領域アドレスを検索し、前記追加の代替領域アドレスに従い前記追加の代替領域の場所を特定し、前記欠陥表から前記代替領域の外側のユーザーデータを有さない空き代替領域の空き代替領域アドレスを検索し、前記空き代替領域アドレスに従い前記空き代替領域の場所を特定し、前記記録されたユーザーデータを前記追加の代替領域から読み出し、前記追加の代替領域から読み出された前記ユーザーデータを前記空き代替領域に記録し、及び前記追加の代替領域を前記欠陥表に使用不可としてマークすることを特徴とする、請求項７記載の装置。
【請求項９】
方法であって、記録媒体のような取り外し可能で書き換え可能なディスクのアドレス可能な位置にデジタル情報信号を記録し、前記媒体は、前記デジタル情報信号を表すユーザーデータを記録するユーザー領域、前記ユーザー領域の外側の欠陥管理のための代替領域を有する予備領域、前記ユーザー領域の外側且つ前記予備領域の外側の代替領域のアドレスリストを有する欠陥表を記録する表領域、及び前記ユーザー領域の内側の欠陥領域を有し、前記方法は、
第１のファイルシステムのパーティションは、第１の位置から開始するよう、前記ユーザーデータを指す第１のファイルシステムのディレクトリ及びファイルエントリーを記録する前記第１のファイルシステムのパーティションを前記媒体のユーザー領域の内側に定義する段階；及び
第２のファイルシステムのパーティションは、実質的に前記ユーザー領域と重複し第２の位置から開始するよう、前記ユーザーデータを指す第２のファイルシステムのディレクトリ及びファイルエントリーを記録する前記第２のファイルシステムのパーティションを前記媒体に定義する段階
を有し、前記方法は、
前記第１の位置は前記第２の位置と同一であるように２つのパーティションを定義する段階；
前記第１のファイルシステムのパーティションの外側に外側部分を有する前記第２のファイルシステムのパーティションを定義する段階；及び
前記第2のファイルシステムのディレクトリエントリーを前記外側部分に記録する段階
を特徴とする、方法。
【請求項１０】
前記外側部分を前記ユーザー領域の内側に定義する段階を特徴とする、請求項９記載の方法。
【請求項１１】
前記外側部分を前記ユーザー領域の外側に定義する段階を特徴とする、請求項９記載の方法。
【請求項１２】
前記外側部分を前記予備領域の外側に定義する段階；及び
前記外側部分と重複する前記予備領域の重複部分を前記欠陥表に使用不可としてマークする段階
を特徴とする、請求項１１記載の方法。
【請求項１３】
前記欠陥表から前記重複部分の内側の記録されたユーザーデータを有する代替領域の代替領域アドレスを検索する段階；
前記代替領域アドレスに従い前記代替領域の場所を特定する段階；
前記欠陥表から前記重複部分の外側のユーザーデータを有さない空き代替領域の空き代替領域アドレスを検索する段階；
前記空き代替領域アドレスに従い前記空き代替領域の場所を特定する段階；
前記記録されたユーザーデータを前記代替領域から読み出する段階；
前記代替領域から読み出された前記ユーザーデータを前記空き代替領域に記録する段階；
前記空き代替領域は前記ユーザーデータを有すると前記欠陥表に示す段階；及び
前記代替領域を前記欠陥表に使用不可としてマークする段階
を特徴とする、請求項１２記載の方法。
【請求項１４】
前記第２のファイルパーティションは、前記予備領域を有することを特徴とする、請求項９乃至１２の何れか記載の方法。
【請求項１５】
前記媒体は、前記予備領域及び前記ユーザー領域の外側に追加の代替領域を有する追加の予備領域を有し、前記欠陥表は、前記追加の代替領域のアドレスを有し、前記追加の予備領域を前記欠陥表に使用不可としてマークする段階を特徴とする、請求項９乃至１２の何れか記載の方法。
【請求項１６】
前記欠陥表から記録されたユーザーデータを有する追加の代替領域の追加の代替領域アドレスを検索する段階；
前記追加の代替領域アドレスに従い前記追加の代替領域の場所を特定する段階；
前記欠陥表から前記代替領域の外側のユーザーデータを有さない空き代替領域の空き代替領域アドレスを検索する段階；
前記空き代替領域アドレスに従い前記空き代替領域の場所を特定する段階；
前記記録されたユーザーデータを前記追加の代替領域から読み出す段階；
前記追加の代替領域から読み出された前記ユーザーデータを前記空き代替領域に記録する段階；
前記空き代替領域は前記ユーザーデータを有すると前記欠陥表に示す段階；及び
前記追加の代替領域を前記欠陥表に使用不可としてマークする段階を特徴とする、請求項１５記載の方法。
【請求項１７】
コンピューターデータシステムであって、記録媒体のような取り外し可能で書き換え可能なディスクのアドレス可能な位置にデジタル情報信号を記録し、前記デジタル情報信号は、ユーザーデータ、第１のファイルシステムデータ及び第２のファイルシステムデータを表し、各ファイルシステムデータは、ファイルエントリーの対応するセットを有し、前記ファイルエントリーは、所定の書式に従いユーザーデータを指し及び参照点に関連して定義されたアドレス参照を有する装置と接続されるコンピューターを有し、前記装置は、
前記コンピューターと接続され前記デジタル情報信号を受信する入力手段；
前記デジタル情報信号を前記媒体に記録する記録手段；
前記媒体に記録された前記デジタル情報信号を読み取る読み取り手段；
前記読み取ったデジタル情報信号を前記コンピューターへ出力する出力手段；及び
前記デジタル情報信号の記録を制御する制御手段
を有し、
前記コンピューターは、前記装置の前記制御手段を制御し、請求項９乃至１６の何れか記載の方法を実行するために利用されることを特徴とする、コンピューターデータシステム。
【請求項１８】
コンピュータープログラムであって、記録媒体のような取り外し可能で書き換え可能なディスクのアドレス可能な位置に、デジタル情報信号を記録し、前記プログラムは、プロセッサーに請求項９乃至１６の何れか記載の方法を実行させるよう機能する、コンピュータープログラム。
【発明の詳細な説明】
【技術分野】
【０００１】
本発明は、デジタル情報信号を記録する装置及び方法に関する。
【背景技術】
【０００２】
光ディスク（ＤＶＤ＋ＲＷ、ブルーレイディスク等）のような記録媒体は、異なる種類のデータを大量に格納できる。これらは、記録媒体のデータ構造に関する固有の要件を有する異なる環境において利用できる。一般に、データは、個々のファイルシステムの規則に従うファイル構造を有する。このようなファイルシステムは、固有のファイルシステムデータを有する。ファイルシステムデータは、記録媒体に格納されたデータの構造の種類全体に関する情報を有する。特に、ファイルシステムデータは、論理及び／又は物理ボリュームの構造を表すボリューム構造、データを有するファイルの構造を表すファイルエントリー、ファイルの分類を記述するディレクトリエントリー、及び記録媒体の割り付け済み及び／又は未割り付けのデータ格納領域を表す領域ビットマップを有して良い。記録媒体は、データを格納するアドレス指定可能な記録単位を有して良い。ファイルシステムでは、これらの単位は、論理アドレスを用いて参照される。論理アドレスは、例えばＵＤＦのようなファイルシステム（の規則に従い）に制御されるファイルのような情報ブロック列を格納するために利用されるべき隣接アドレス（格納）空間を定義する。記録媒体のパーティション分けにより、媒体にこの領域を割り付ける。
【０００３】
現在、例えば、ＤＶＤ＋ＲＷディスクは、消費家電（ＣＥ）機器により、及びパーソナルコンピューター（ＰＣ）環境で利用されている。ＣＥ環境では、ＤＶＤ＋ＲＷディスクは、一般にＤＶＤ＋ＶＲと称されるＤＶＤビデオレコーディング規格のフォーマットに従ってデジタルビデオ情報を記録するために主に利用される。つまり、定義された特有の割り付け規則、及びビデオ情報自体及びタイトル情報、メニュー構造等のビデオ情報の関連情報を有するファイルのセットが存在する。更に、ファイルの（所定の）リストが、特定の順序で媒体に物理的に存在しなければならない。
【０００４】
ＰＣ環境は異なる規則に従う。一般に、特殊な割り付け要件はない。特定のアプリケーションは、あるファイルが特定のディレクトリに存在することを要求する。またアプリケーションは、一般に固有のデータフォーマットでファイルに情報を格納し、又はファイルから情報を引き出す。つまり、媒体に利用可能な空き領域が存在する限り、あらゆる種類の異なるアプリケーションがその媒体にデータファイルを追加できる。例えば、単一のディスクに、マルチメディアファイル、テキストファイル及び実行ファイルを混在できる。
【０００５】
近年、ビデオプレーヤー／レコーダーのようなＣＥ機器は、ファイルシステム情報を通じ、ディスクから機器が対応している特定の種類のファイルを検索する機能を有するようになってきた。例えば、（主に）ＪＰＥＧファイル及びＭＰ３ファイル等、その他多くのファイル形式が対象となっている。将来は、より多くの種類のマルチメディアファイルがＣＥ分野で対応されるだろう。更に、新しく作成されているメタデータの規格（例えば、ＭＰＶ又はＨｉｇｈＭＡＴ）は、例えば共通の「見た目」を異なる環境で提供することにより、ＰＣと家電機器の間でより簡単にデジタルコンテンツを移動できるようにする。
【０００６】
特許文献１は、ＣＤ−ＲＷディスクのような書き換え可能な媒体の初期化、フォーマット及び欠陥管理を実行可能な装置を開示している。この装置は、ＣＤ−ＲＷを高容量フロッピー（登録商標）ディスクのように利用し、ファイルの迅速な記録又は読み出しを可能にする。このような媒体は、例えばＣＤ−ＭＲＷ、ＤＶＤ＋ＭＲＷのように、一般にＭＲＷ（マウントレイニアリライタブル）媒体と称される。
【０００７】
この装置は、光ディスク上の論理アドレスを有する情報ブロックの形式で、割り付け済み物理アドレスのトラックに情報を記録する記録手段を有する。論理アドレスは、隣接する格納領域を指定する。実際に、記録担体は、トラックの欠陥部分、特に特定の物理アドレスへのブロックの記録を妨げる欠陥を示して良い。これらの欠陥は、傷、埃、指紋等により生じる。先ずユーザーデータが記録される前に欠陥が検出され、そして欠陥セクターの物理アドレスは、欠陥表で利用対象から除外される。この処理は、通常、スリッピングと呼ばれる。記録担体の使用中に欠陥が検出された場合、欠陥のある物理アドレスに割り付けられた論理アドレスは、予備領域とも呼ばれる欠陥管理領域内の異なる物理アドレスに割り付けられる。この処理は、一般に、再マッピング又は線形な代替と呼ばれる。
【０００８】
更に、前記装置は、異なるファイルシステムのファイルシステムデータを１つの記録媒体に記録すること、所謂「ブリッジメディア」を可能にする。これにより、異なる環境、例えばＣＥ環境とＰＣ環境の間でブリッジメディアの共有が容易になる。ＧＡＡ（汎用アプリケーション領域）と呼ばれる、記録媒体の特定部位は、例えば、他の装置により利用されるファイルシステムのファイルシステムデータを格納するために割り付けられる。ＤＶＤ＋ＭＲＷ媒体の場合、ＧＡＡは２メガバイトである。
【０００９】
ＰＣ環境でブリッジメディアにデータを追加する最も一般的な方法は、「ドラッグアンドドロップ」技術を用いる方法である。ユーザーは、ＰＣで実行される対応（ブリッジ）アプリケーションを利用し、媒体と従来のプレーヤーに互換性を持たせることができる。基本的に、アプリケーションは、「ＣＥブリッジ」と呼ばれる第２のファイルシステムデータを媒体に書き込む。適切なファイルシステム及びコンテンツポインターを用いると、従来の「非ＭＲＷ」システムは、これらのデータを自身のファイルシステムのコンテンツとして解釈できる。結果として、ＣＥプレーヤーは、自身が持つ適切なコンテンツデコーダーを用い、このファイルシステムデータにより参照されるコンテンツを再生できる。
【００１０】
ＣＥブリッジの作成と変更は、第１のファイルシステムデータを通じた検索、及びファイル／ディレクトリエントリーのＣＥブリッジへのコピーを必要とする。更に、ＣＥブリッジにコピーされた全てのファイル／ディレクトリエントリーの変更を必要とする。これは、ファイル／ディレクトリエントリー内に格納されたアドレス参照が、ファイルシステムのパーティションの先頭に関連して定義されているからである。ファイル／ディレクトリエントリーの検索、コピー及び変更の処理は、時間を要する。
【特許文献１】国際公開第０１／２２４１６号
【発明の開示】
【発明が解決しようとする課題】
【００１１】
本発明の目的は、異なる環境間でブリッジメディアを共有する、より経済的な方法を提供することである。
【課題を解決するための手段】
【００１２】
本発明は、記録媒体のような取り外し可能で書き換え可能なディスクのアドレス可能な位置にデジタル情報信号を記録し、前記媒体は、前記デジタル情報信号を表すユーザーデータを記録するユーザー領域、前記ユーザー領域の外側の欠陥管理のための代替領域を有する予備領域、前記ユーザー領域の外側且つ前記予備領域の外側の代替領域のアドレスリストを有する欠陥表を記録するテーブル領域、及び前記ユーザー領域の内側の欠陥領域を有する装置に関連し、前記装置は、前記媒体に前記デジタル情報信号を記録する記録手段；前記媒体に記録された前記デジタル情報信号を読み取る読み取り手段；及び前記デジタル情報信号の記録を制御する制御手段を有し、前記ユーザーデータを指す第１のファイルシステムのディレクトリ及びファイルエントリーを記録する第１のファイルシステムのパーティションを前記媒体のユーザー領域の内側に定義する場合、前記第１のファイルシステムのパーティションは、第１の位置から開始し、及び前記ユーザーデータを指す第２のファイルシステムのディレクトリ及びファイルエントリーを記録する第２のファイルシステムのパーティションを前記媒体に定義する場合、前記第２のファイルシステムのパーティションは、実質的に前記ユーザー領域と重複し第２の位置から開始する。
【００１３】
本発明は、記録媒体のような取り外し可能で書き換え可能なディスクのアドレス可能な位置にデジタル情報信号を記録し、前記媒体は、前記デジタル情報信号を表すユーザーデータを記録するユーザー領域、前記ユーザー領域の外側の欠陥管理のための代替領域を有する予備領域、前記ユーザー領域の外側且つ前記予備領域の外側の代替領域のアドレスリストを有する欠陥表を記録する表領域、及び前記ユーザー領域の内側の欠陥領域を有し、前記方法は、第１のファイルシステムのパーティションは、第１の位置から開始するよう、前記ユーザーデータを指す第１のファイルシステムのディレクトリ及びファイルエントリーを記録する前記第１のファイルシステムのパーティションを前記媒体のユーザー領域の内側に定義する段階；及び第２のファイルシステムのパーティションは、実質的に前記ユーザー領域と重複し第２の位置から開始するよう、前記ユーザーデータを指す第２のファイルシステムのディレクトリ及びファイルエントリーを記録する前記第２のファイルシステムのパーティションを前記媒体に定義する段階を有する、方法に更に関連する。
【００１４】
本発明はまた、記録媒体のような取り外し可能で書き換え可能なディスクのアドレス可能な位置にデジタル情報信号を記録し、前記デジタル情報信号は、ユーザーデータ、第１のファイルシステムデータ及び第２のファイルシステムデータを表し、各ファイルシステムデータは、ファイルエントリーの対応するセットを有し、前記ファイルエントリーは、所定の書式に従いユーザーデータを指し及び参照点に関連して定義されたアドレス参照を有する装置と接続されるコンピューターを有する、コンピューターデータシステムに関連し、前記装置は、前記コンピューターと接続され前記デジタル情報信号を受信する入力手段；前記デジタル情報信号を前記媒体に記録する記録手段；前記媒体に記録された前記デジタル情報信号を読み取る読み取り手段；前記読み取ったデジタル情報信号を前記コンピューターへ出力する出力手段；前記デジタル情報信号の記録を制御する制御手段を有する。
【００１５】
本発明は、記録媒体のような取り外し可能で書き換え可能なディスクのアドレス可能な位置に、デジタル情報信号を記録するコンピュータープログラムに更に関連する。
【００１６】
上述の目的は、本発明の第1の特長によると、上述のデジタル情報信号を記録する装置により達成される。前記装置は、制御手段が適用されると、前記第１の位置は前記第２の位置と同一であるように２つのパーティションを定義し、前記第１のファイルシステムのパーティションの外側に外側部分を有する前記第２のファイルシステムのパーティションを定義する。従って、２つのファイルシステムにそれらのファイルエントリーを共有させることにより、ＣＥブリッジの取り扱いに要する時間と領域を削減する。同時に、媒体が第１のファイルシステムの制御下にある時に、第２のファイルシステムのディレクトリエントリーが削除されるのを防ぐ。
【００１７】
デジタル情報信号を記録する装置のある実施例では、制御手段が適用されると、外側部分をユーザー領域の内側に定義する。この実施例は、２つのファイルシステムのパーティションがユーザー領域内に定義され媒体の他の領域に影響しないので、有利である。
【００１８】
デジタル情報信号を記録する装置の更に別の実施例では、制御手段が適用されると、外側部分をユーザー領域の外側に定義する。これにより、第１のファイルシステムのパーティションはユーザー領域内で最大容量を有する。
【００１９】
デジタル情報信号を記録する装置の別の実施例では、制御手段が適用されると、前記外側部分を前記予備領域の外側に定義し、前記外側部分と重複する前記予備領域の重複部分を前記欠陥表に使用不可としてマークする。従って、外側部分にある第２のファイルシステムデータが欠陥管理により上書きされるのを防ぐ。
【００２０】
デジタル情報信号を記録する装置の別の実施例では、制御手段が適用されると、欠陥表から重複部分の内側の記録されたユーザーデータを有する代替領域の代替領域アドレスを検索し、前記代替領域アドレスに従い前記代替領域の場所を特定し、前記欠陥表から前記重複部分の外側のユーザーデータを有さない空き代替領域の空き代替領域アドレスを検索し、前記空き代替領域アドレスに従い前記空き代替領域の場所を特定し、前記記録されたユーザーデータを前記代替領域から読み出し、前記代替領域から読み出された前記ユーザーデータを前記空き代替領域に記録し、及び前記代替領域を前記欠陥表に使用不可としてマークする。この実施例は、第２のファイルパーティションに割り付けられた予備領域の重複部分のユーザーデータが第２のファイルシステムの制御下で上書きされるのを防ぐので、有利である。
【００２１】
制御手段が適用されると、予備領域を有する第２のファイルパーティションを定義するので、有利である。これは、予備領域に再マッピングされたユーザーデータを、第２のファイルシステムのパーティション内からアドレス指定可能にする。
【００２２】
デジタル情報信号を記録する装置の別の実施例は、媒体は、予備領域及びユーザー領域の外側に追加の代替領域を有する追加の予備領域を有し、欠陥表は、前記追加の代替領域のアドレスを有し、制御手段が適用されると、前記追加の予備領域を前記欠陥表に使用不可としてマークする。これにより、如何なるユーザーデータも、第２のファイルシステムのパーティションからアクセス不可能な追加の予備領域に追加されないことが保証される。
【００２３】
デジタル情報信号を記録する装置の別の実施例では、制御手段が適用されると、欠陥表から記録されたユーザーデータを有する追加の代替領域の追加の代替領域アドレスを検索し、前記追加の代替領域アドレスに従い前記追加の代替領域の場所を特定し、前記欠陥表から前記代替領域の外側のユーザーデータを有さない空き代替領域の空き代替領域アドレスを検索し、前記空き代替領域アドレスに従い前記空き代替領域の場所を特定し、前記記録されたユーザーデータを前記追加の代替領域から読み出し、前記追加の代替領域から読み出された前記ユーザーデータを前記空き代替領域に記録し、及び前記追加の代替領域を前記欠陥表に使用不可としてマークする。これにより、追加の予備領域からユーザーデータを再マッピングする方法を提供する。
【００２４】
本発明の第２の特長によると、上述のデジタル情報信号を記録する方法が提供される。前記方法は、前記第１の位置は前記第２の位置と同一であるように２つのパーティションを定義する段階；前記第１のファイルシステムのパーティションの外側に外側部分を有する前記第２のファイルシステムのパーティションを定義する段階；及び前記第2のファイルシステムのディレクトリエントリーを前記外側部分に記録する段階を特徴とする。
【００２５】
本発明の第３の特長によると、上述のコンピューターデータシステムが提供される。前記コンピューターは、デジタル情報信号を記録する装置の前記制御手段を制御し、上述の本発明の第２の特長を実行するために利用されることを特徴とする。
【００２６】
本発明の第４の特長によると、記録媒体のような取り外し可能で書き換え可能なディスクに記録されたデジタル情報信号を記録するコンピュータープログラムが提供される。前記プログラムは、プロセッサーに上述の本発明の第２の特長を実行させるよう機能する。
【実施例】
【００２７】
本発明の上述の及びその他の特長は、以下に説明される実施例を参照して、及び添付の図面を参照して更に明らかになるだろう。
【００２８】
複数の図中の対応する要素は、同一の参照符号で表される。
【００２９】
図１ａは、トラック９及び中央の穴１０を有するディスク状の記録媒体１１の例を示す。トラック９は、デジタル情報信号（データ）を表す一連の記録された（されるべき）マークの位置であり、情報層上で実質的に平行なトラックを構成する曲線の螺旋パターンに従うよう構成される。記録媒体は、光学的に読み取り可能であり、光ディスクと称され、記録可能な種類の情報層を有する。記録可能なディスクの例として、ＣＤ−ＲＷ、ＤＶＤ＋ＲＷのような、書き込み可能なＤＶＤ、及びブルーレイディスク（ＢＤ）と称される、ブルーレイを用いた高密度の書き込み可能な光ディスクがある。デジタル情報信号（データ）は、光学的に検出可能なマーク、例えば相変化物質に結晶の又は非結晶質のマークをトラックに沿って記録することにより、情報層に記録される。記録可能な記録媒体のトラック９は、何も記録されていない記録媒体の製造過程で設けられる、予めエンボス加工されたトラック構造により示される。トラック構造は、例えば、読み取り／書き込みヘッドが走査の間にトラックを辿れるようにする溝１４を有する。トラック構造は、通常情報ブロック又はパケットと称される情報単位の位置を示す位置情報、例えばアドレスを有する。
【００３０】
図１ｂは、記録可能な記録媒体１１のラインｂ−ｂの断面図を示す。図１ｂでは、透過基板１５には、記録層１６及び保護層１７が設けられる。保護層１７は、例えば記録層が０．６ｍｍの基板であり、裏面に０．６ｍｍの基板が更に結合されているＤＶＤのような基板層を更に有する。溝１４は、基板１５の物質の凹部又は凸部として、又は周囲と異なる材料特性として実施されて良い。
【００３１】
図２は、本発明の、デジタル情報信号をＣＤ−ＲＷ、ＤＶＤ＋ＲＷ又はＢＤのような記録媒体１１に記録する装置を示す。本装置は、記録媒体のトラックを走査する記録手段を設ける。記録手段は、記録媒体１１を回転する駆動部２１、ヘッド２２、及びトラックの半径方向にヘッド２２の位置を合わせる位置決め部２５を有する。ヘッド２２は、記録媒体の情報層のトラック上の照射点２３に焦点を合わせた光学素子を通じて照射ビーム２４を生成する既知の光学システムを有する。照射ビーム２４は、例えばレーザーダイオードのような光源により生成される。ヘッドは、照射ビーム２４の焦点を前記ビームの光軸に沿って移動させる焦点作動装置、及びトラックの中央で半径方向に点２３の微細な位置決めを行うトラッキング作動装置を更に有する（図示されない）。トラッキング作動装置は、光学素子を半径方向に移動させるコイルを有して良い。又は代案として反射成分の角度を変更させるよう構成されても良い。デジタル情報信号（データ）を記録する場合、照射は、光学的に検出可能なマークを記録層に作成するよう制御される。マークは、如何なる読み取り可能な形式、例えばダイ、金型又は位相変化物質のような物質に記録する場合に得られる、周囲と異なる反射係数を有する領域の形式、又は光磁気材料に記録する場合に得られる、周囲と異なる磁化方向を有する領域の形式であっても良い。読み取りの場合、情報層により反射された光線は、読み取り信号を生成するヘッド２２内の通常の種類の検出器、例えば４クワドラントダイオードにより検出される。そして更に検出器は、トラッキングエラー及び焦点合わせのエラーを有する信号を送信し、前記トラッキング及び焦点作動装置を制御する。読み取り信号は、デジタル情報信号（データ）を読み出すために、復調器、再フォーマット装置及び出力部を含む通常の種類の読み取り処理部３０により処理される。従って、情報を読み出す読み出し手段は、駆動部２１、ヘッド２２、位置決め部２５及び読み取り処理部３０を有する。本装置は、ヘッド２２を駆動する書き込み信号を生成するために、入力データを処理する書き込み処理手段を有する。書き込み処理手段は、入力部２７、並びにフォーマット部２８及び変調部２９を有する変調手段を有する。入力データは、例えばリアルタイムビデオ及び／又は音声データ、画像データ又は他のユーザーデータを有して良い。入力部２７は、入力データを情報の単位に加工する。情報の単位は、フォーマット部２８に渡され、例えばエラー訂正コード（ＥＣＣ）及び／又はインターリーブにより、制御データ及びフォーマットデータを付加される。フォーマット部２８から出力されるフォーマット済みデータは、変調部２９へ渡される。変調部２９は、例えばチャネル符号器を有し、変調された信号を生成する。変調された信号は、ヘッド２２を駆動する。更に、変調部２９は、変調済み信号のパターン同期を含む同期手段を有する。変調部２９の入力に現れたフォーマット済みの単位は、アドレス情報を有し、制御部２０の制御下で記録媒体の対応するアドレス可能な位置に書き込まれる。制御部２０は、情報の記録及び読み出しを制御し、ユーザー又はホストコンピューターから命令を受信するよう構成されて良い。制御部２０は、制御線２６、例えばシステムバスを経由して前記入力部２７、フォーマット部２８及び変調部２９、読み取り処理部３０、及び駆動部２１、及び位置決め部２５と接続される。制御部２０は、制御回路、例えばマイクロプロセッサー、プログラムメモリー及び制御ゲートを有し、以下に説明される本発明の手順及び機能を実行する。制御部２０はまた、論理回路の状態機械として実施されて良い。
【００３２】
ある実施例では、本装置は記憶システムのみ、例えばコンピューターで用いられる光ディスクドライブである。制御部２０は、ホストコンピューター内の処理装置と標準インターフェース（図示されない）を経由して通信するよう構成される。デジタルデータは、フォーマット部２８へ渡され、及び読み取り処理部３０から直接送られる。この場合、インターフェースは、入力部及び出力部として動作する。代替案では、入力部２７は、装置内に存在する必要はない。
【００３３】
ある実施例では、本装置は独立した装置、例えば民生用のビデオ録画装置として構成される。制御部２０、又は装置に含まれる追加のホスト制御部は、ユーザーにより直接制御されるよう、及びファイルシステムの機能を実行するよう構成される。本装置は、アプリケーションデータ処理、例えば音声及び／又はビデオ処理回路を有する。ユーザー情報は入力部２７に現れる。入力部２７は、アナログ音声及び／又はビデオ、又はデジタル非圧縮音声／ビデオのような入力信号の圧縮手段を有して良い。読み取り処理部３０は、適切な音声及び／又はビデオ復号部を有して良い。
【００３４】
制御部２０は、初期化、フォーマット及びＤＶＤ＋ＲＷディスクのような書き換え可能な媒体の欠陥管理を実行できる。このようなディスクの簡易レイアウトの例は図３ｂ及び４に示される。このような媒体は、リードイン領域ＬＩ、リードアウト領域ＬＯ、汎用アプリケーション領域ＧＡＡ、予備領域ＳＡ（この例では２つの副領域ＳＡ１及びＳＡ２を有する）、ユーザー領域ＵＡ、並びに表領域ＭＴＡ及びＳＴＡを有する。ＬＩ及びＬＯは、主に媒体の読み出し／書き込み定義及び管理データを有する。ユーザー領域ＵＡは主に、実際の利用に用いられるデータ及び記録媒体に格納されたコンテンツの関連データの記録に利用される。これらのデータは、例えば、ファイルデータＦＤ及び第１の（主）ファイルシステムデータＭＲＷＦＳで構成されるユーザーデータを有する。ＭＲＷＦＳは、ディレクトリ及びファイルエントリー、第１のファイルシステムの規則に従ってユーザーデータを指すＭＲＷＤＦＥを有する。汎用アプリケーション領域ＧＡＡは、欠陥管理による代替が許されないデータの格納に利用できる。このようなデータは、例えばアプリケーションプログラム、欠陥を処理できるデバイスドライバ、又は追加のファイルシステムのファイルシステムデータである。欠陥管理は、主表領域ＭＴＡに格納された主欠陥表ＭＤＴ、副表領域ＳＴＡに格納された主欠陥表ＳＤＴ、及び予備領域ＳＡ１、ＳＡ２から成る代替領域（パケット）に基づく。副欠陥表は、主欠陥表のコピーである。つまり、ＳＤＴはＭＤＴと同一の内容を有する。ＳＴＡは、ＭＴＡに問題が生じた場合の冗長系として利用される。また、（非ＭＲＷ機器により解釈不可能な）欠陥管理の再割り付けを補償し、アドレス空間を論理的に構成するため、ＭＲＷのＰＣシステムがこれらの表をアドレスの再マッピングに利用できることを保証する。主表領域ＭＴＡは、リードイン領域ＬＩ内に位置する。図３ｂ及び４に示されるレイアウトを有する記録媒体は、一般にマウントレイニアリライタブル（ＭＲＷ）媒体と称され、例えばＣＤ−ＭＲＷ又はＤＶＤ＋ＭＲＷがある。一方、図３ａに示される例のようなレイアウトを有する記録媒体は、「非ＭＲＷ」媒体と称される。ＤＶＤ＋ＭＲＷ記録媒体の場合、ＧＡＡ、ＳＡ１及びＳＡ２は、それぞれ２，８及び１２０（又は５０４）メガバイトの容量を有する。ＭＲＷＰＳ及びＣＥＰＳは、それぞれＭＲＷファイルシステムパーティション及びＣＥファイルシステムパーティションの先頭（始まり）を示す。
【００３５】
制御部２０は、１つの記録媒体の異なるファイルシステムのファイルシステムデータの記録、所謂「ブリッジメディア」を制御できる。これにより、ブリッジメディアを異なる環境、例えばＣＥ環境とＰＣ環境の間で、上述のように共有できる。
【００３６】
ＭＲＷの定義によると、ＰＣに再マッピングドライバーをインストールすることにより、ＭＲＷ媒体の非ＭＲＷ対応ドライブによる読み取りを保証できる。この再マッピングドライバーは、特にＧＡＡを用いて、ＧＡＡのファイルシステムにアプリケーションを起動させ、このドライバーをインストール又はインターネットからダウンロードさせることで、簡単に得られる。非ＭＲＷを認識可能なＣＥ機器の統合の場合、同一又は異なる種類のファイルシステム（一般にＩＳＯ９６６０又はＵＤＦ）は、一般にＣＥ機器により認識されるコンテンツのアドレス指定を可能にするために利用される。これは、ＭＲＷ媒体のＵＡに格納されたマルチメディアコンテンツを、ＧＡＡに格納されたファイルシステムデータを用いて指すことにより行われる。以後、ＧＡＡは第２のファイルシステムデータＣＥＦＳとも称される、固有のディレクトリ及びファイルエントリー、ＣＥＤＦＥを有する。
【００３７】
欠陥表ＭＤＴは、欠陥管理を実行するために用いられる情報を有する。具体的には、欠陥表は、欠陥管理の規則に従い媒体の検証中又は利用中に欠陥であると判定された欠陥領域（パケット）のリストを有する。更に、欠陥表は、欠陥領域の代替としての利用のために予約された代替領域（パケット）のリストを有する。欠陥領域及び代替領域は、媒体上のそれらのアドレスにより参照される。欠陥表が有する異なるフラグ又は状態は、それらの領域の特性、例えばデータの記録に利用できるかを示す。欠陥表はまた、欠陥管理が有効でない媒体の、ＧＡＡのサイズ及び位置のような領域に関する情報を有する。
【００３８】
ある実施例では、制御部２０は、所謂「ブリッジアプリケーション」として機能する。１つのファイルシステムのファイル及びディレクトリエントリーは、他のファイルシステムに属する他のデータ構造の等価物にミラーされる。この処理の間、ファイルシステムデータの変化に関する情報は集められ、そして全て又は選択されたファイル／ディレクトリエントリーのみがミラーされる。この選択は、ファイル種別、ファイルシステム特性又は他の条件の所定のセットを用いて行われる。ブリッジメディアにデータを付加（変更）した後、ファイルシステムデータは、ブリッジアプリケーションにより同期されなければならない。媒体が「認識可能な」環境、つまり２つのファイルシステムデータが確実に同期されている環境で用いられるか、又は「認識不可能な」環境（２つのファイルシステムデータは同期を保てない）で用いられるかに依存して、媒体は正しい又は正しくないＣＥブリッジ情報を有する。従って、ＣＥブリッジをリストアできる空間統合ブリッジアプリケーションの空間的動作が実行される必要がある。これは、媒体が常に「認識可能な」環境を正しいＣＥブリッジに渡せるようにする、「認識可能な」環境の機能の一部であって良い。
【００３９】
図５は、ＵＤＦファイルシステムの簡易構造を示し、記録媒体のディレクトリ及びファイル構造を表す。アンカーボリューム記述子ポインターＡＶＤＰは、メインボリューム記述子シーケンスＭＶＤＳを指す。ＭＶＤＳは、論理ボリューム記述子ＬＶＤ、パーティション記述子ＰＤ、１次ボリューム記述子ＰＶＤ、装置用ボリューム記述子ＩＵＶＤ及び未割り付け領域記述子ＵＳＤを有する。ＬＤＶは、論理ボリュームに関する情報を有する。ＬＤＶはファイルセット記述子ＦＳＤを指す。パーティションは、論理空間を物理空間に割り付ける。通常、これは線形割り付けであり、オフセット（位置）及び長さ（サイズ）はＰＤにより特定される。ＰＶＤは、物理ボリュームに関する情報を有し、ＩＵＶＤは、ボリュームに関する装置固有の情報を有する。ボリュームの空き領域に関する情報は、ＵＳＤに含まれる。ＡＶＤＰは、論理アドレス２５６を有する論理ブロックに位置する。例えば、ＤＶＤ＋ＭＲＷ媒体のＭＲＷＦＳの場合、この論理アドレスは、リードインの後の５３７６番目の物理ブロックに相当する（再マッピングされていない場合）。ＵＤＦファイルシステム構造はまた、論理アドレス１６にボリューム識別シーケンスＶＲＳを有する。ＡＶＤＰ、ＭＶＤＳ及びＶＲＳは、パーティションの外側に位置する。ＦＳＤは、ファイル及びディレクトリのセットを識別し、ルートディレクトリを表す所謂ルートエントリーＲＥへのポインターを有する。ディレクトリ及びファイルツリーは、ユーザーに媒体のコンテンツの構造を示し、ルートディレクトリから始まり、そして図５の矢印で示されるようにポインターを経由して相互に全てリンク付けされているディレクトリエントリーＤＥ及びファイルエントリーＦＥを通じて生成される。図５はまた、ファイル識別記述子（ＦＩＤ）を示す。ＦＩＤは、ディレクトリのデータとして見え、ファイル及び特定のディレクトリが存在するディレクトリへのポインターを有する。ＲＥ、ＦＩＤ、ＤＥ及びＦＥは、ＵＤＦファイルシステムのファイル及びディレクトリ構造を共に形成する。これらは、パーティションの内側に位置する。各ファイルエントリーは、対応するファイルに属するデータを指すアドレス参照（リンク）を有する。アドレス参照は、所与のファイルシステム固有のフォーマットを有し、ＵＤＦの場合、パーティションの先頭である参照点に関連して定義される。ＵＤＦファイルシステムのルートエントリー、ディレクトリエントリー及びファイルエントリーは、ＵＤＦ規格の定義と同一のデータフォーマットを有し、同一の参照点を用いる。これらはしばしば単にファイルエントリーと称される。一般に、ＭＲＷ及びＣＥファイルシステムのアドレス参照は、例えばＭＲＷ及びＣＥのパーティションが図４に示されるように異なる位置から始まる場合、異なる参照点に関連して定義できる。
【００４０】
装置のある有利な実施例では、制御部２０は、第１の位置は第２の位置と同一であるように２つのパーティションを定義し、第１のファイルシステムのパーティションの外側に外側部分を有する第２のファイルシステムのパーティションを定義する。ＡＶＤＰ、ＭＶＤＳ、ＶＲＳ及び２つのファイルシステムデータ（この場合、ＵＤＦファイルシステムデータ）のＦＳＤは、媒体に記録される。これは、例えば、「統合する」要求の結果として、１つの動作（ＭＲＷ及びＣＥファイルシステムデータの記録）又は時間的に分離された、つまり最初にＭＲＷファイルシステムデータが記録され、次にＣＥファイルシステムデータが記録される、２つの動作として実行されて良い。制御部２０は、パーティション記述子ＭＲＷＰＤ及びＣＥＰＤにより定義されたパーティションに同一の開始点（位置）を設定する。従って、図６に示されるように、２つのファイルシステムデータにより共有されるファイルエントリーの１つのセットのみを記録するだけで良いブリッジメディアを得る。１つの共通のセットを形成するファイルエントリーＦＥは、異なるファイルシステムデータ、ＭＲＷＤＥ及びＣＥＤＥに対応するディレクトリエントリーにより指される。図８は、共有されたファイルエントリーＦＥを有するＤＶＤ＋ＭＲＷブリッジメディアの簡易構造の例を示す。ＣＥパーティションは、ＭＲＷパーティションの容量「ｋ」より大きい容量「ｌ」を有する。つまり、ＣＥパーティションは、以後ＣＥ外側部分と称される部分、ＭＲＷパーティション（図８の「ｋ」と「ｌ」の間）の外側のＣＥＯＰを有する。制御部２０は、この部分を利用し、ＣＥＦＳディレクトリエントリーＣＥＤＥを記録する。また、ファイルセット記述子、ルートエントリー及びファイル識別記述子は、ＣＥ外側部分に記録される。安全地帯は、ＭＲＷパーティションの一部ではないＣＥパーティション内に作成される。つまり、この領域に書かれたＣＥＦＳＤ及び他のＣＥＦＳを表すエントリーは、ＭＲＷパーティション内でない。結果として、ＭＲＷパーティション内のファイルの上書き又は削除を防ぐ。逆も同様である。本装置のある実施例では、制御部２０は、ユーザー領域ＵＡの内側にＣＥ外側部分を定義する。
【００４１】
図７は、本装置の実施例の制御部２０により実行される方法の例を示す。初期化１ステップ１０１では、第１のファイルシステムパーティションが定義され、ＡＶＤＰ、ＭＶＤＳ、ＶＲＳ及びＦＳＤのような基本ＭＲＷＦＳ構造が媒体に記録される。次に初期化２ステップ１０２では、第２のファイルシステムパーティションが定義され、ＡＶＤＰ、ＭＶＤＳ、ＶＲＳ及びＦＳＤのような基本ＣＥＦＳ構造が媒体に記録される。２つのパーティションは、同一の開始位置及び異なる容量を有す。つまり、第２のファイルシステムのパーティションの容量は、第１のファイルシステムのパーティションの容量より大きい。生成１ステップ１０３でＭＲＷＦＳファイル及びディレクトリエントリー（共にＭＲＷＦＩＤに対応する）が生成され、記録１ステップ１０４で媒体に記録される。次に生成２ステップ１０５で、ＣＥＦＳディレクトリエントリー（共にＣＥＦＩＤに対応する）が生成され、記録２ステップ１０６で媒体のＣＥ外側部分に記録される。２つのファイルシステムはそれらのファイルエントリーを共有するので、ＣＥＦＳファイルエントリーを生成及び記録する必要はない。初期化２ステップ１０２はまた、記録１ステップ１０４の後で実行されても良い。代案として、ステップ１０３及び１０５、及び／又は１０４及び１０６は共に一体化されて良い。
【００４２】
本装置の別の実施例では、制御部２０は、ＣＥ外側部分をＵＡの外側に定義できる。ある場合には、ＣＥ外側部分は、図８に示されるように予備領域ＳＡ２内にある。ＣＥＦＳＤ、ＣＥＲＥ、ＣＥＦＩＤをＳＡ２内へ格納する場合は、ＭＲＷ欠陥管理がこの情報が格納されているＳＡ２を利用することによりこの情報を削除しないよう注意が必要である。制御部２０は、ＣＥ外側部分と重複している予備領域ＳＡ２、以後、重複部分と称される、の一部をＭＤＴで利用不可としてマークし、欠陥管理との衝突を回避する。重複部分にある全ての代替領域は、ＭＤＴで利用不可としてマークされる。
【００４３】
本装置のある実施例では、制御部２０は、ＳＡ２の重複部分にある領域に格納されているコンテンツ（ユーザーデータ又はＭＲＷＦＳデータ）を空き領域に移動することにより、その領域を解放できる。これは、上述の方法のステップ１０２又はステップ１０６の一部であって良い。制御部２０は、ＭＤＴから重複部分の内側の記録されたユーザーデータを有する代替領域の代替領域アドレスを検索し、代替領域アドレスに従い代替領域の場所を特定し、ＭＤＴから重複部分の外側のユーザーデータを有さない空き代替領域の空き代替領域アドレスを検索し、空き代替領域アドレスに従い空き代替領域の場所を特定し、記録されたユーザーデータを代替領域から読み出し、代替領域から読み出されたユーザーデータを空き代替領域に記録し、及び代替領域をＭＤＴに使用不可としてマークする。これは、例えば装置のバックグランド動作により行われて良く、又は第２のファイルシステムのパーティションを定義する特別なフォーマットコマンドの結果であって良い。解放されたＳＡ２の領域は、欠陥表で使用不可としてマークされる。この結果、これらの領域はＭＲＷシステムで上書きされない。これらの領域は、ＣＥパーティション−ＣＥ外側部分に追加される。
【００４４】
有利なことに、本装置の別の実施例では、制御部２０は、図８に示されるようにＳＡ２全体を含むＣＥパーティションを定義する。これにより、ＳＡ２に（欠陥管理により）再マッピングされたＭＲＷパーティションからのデータが有る場合、ＣＥパーティション内からアドレス指定できることを保証する。
【００４５】
ＤＶＤ＋ＭＲＷは、図３ｂ及び４に示されるように追加の予備領域ＳＡ１を有する。ＭＲＷからのデータは、ＳＡ１に再マッピングできる。ＣＥパーティションは拡大可能なので、ＳＡ１全体を含むことができる。しかしながら、これは、ＣＥパーティションがＭＲＷパーティションと同一の物理位置から開始し、全てのＭＲＷファイルエントリーをＭＲＷＦＳＤとＣＥＦＳの間で共有可能にするという要件に違反する。従って、本装置の別の実施例では、制御部２０は、追加の予備領域ＳＡ１をＭＤＴで使用不可としてマークできるので、ＳＡ１は欠陥管理により利用されない。
【００４６】
本装置のある実施例では、制御部２０は、ＭＤＴからの情報に基づき、ＳＡ１内の領域のコンテンツ（ユーザーデータ又はＭＲＷＦＳデータ）空き領域に移動することにより、その領域を解放できる。これは、上述のＳＡ２の場合と同様の方法で、欠陥表から記録されたデータを有する追加の代替領域の追加の代替領域アドレスを検索し、追加の代替領域アドレスに従い前記追加の代替領域の場所を特定し、欠陥表から代替領域の外側のデータを有さない空き代替領域の空き代替領域アドレスを検索し、空き代替領域アドレスに従い空き代替領域の場所を特定し、記録されたデータを追加の代替領域から読み出し、追加の代替領域から読み出されたデータを空き代替領域に記録し、前記空き代替領域はデータを有すると欠陥表に示し、追加の代替領域を欠陥表に使用不可としてマークすることにより行われる。
【００４７】
ユーザー領域ＵＡ及び予備領域ＳＡ２は、分割され互いにインターリーブされ、媒体上で「縞のような」構造を作る。この場合、制御部２０は、予備領域の要求された数のフラグメントに亘るＣＥパーティションを定義する。別の実施例では、制御部２０は、予備領域の１つ以上のフラグメントの部分をＭＤＴに使用不可としてマークでき、及びそれら部分をＣＥ外側部分に（として）割り付けできる。必要ならば、予備領域のフラグメント内の領域は、上述の技術を用いて解放できる。
【００４８】
ホストシステムとデジタル情報信号を記録する装置を有するコンピューターデータシステムの実施例では、ホストシステムの処理部は制御部２０を制御し、装置の実施例を参照して以上に説明されたように、方法と機能を実行する。
【００４９】
本発明のコンピュータープログラムは、制御部２０又はホストシステムの処理部に、装置の実施例を参照して以上に説明されたように、方法と機能を実行させる。
【００５０】
本発明は、好適な実施例を参照して説明されたが、これらは限定のための例ではない。従って、当業者には、請求の範囲により定義された本発明の精神から逸脱することなく種々の変更が明らかである。更に、本発明は、以上に説明されたそれぞれの新しい特長又はそれらの組み合わせに存在する。また、記録媒体として光ディスクが説明されたが、他の媒体、例えば光磁気ディスクを用いても良い。本発明はコンピュータープログラムを実行する汎用プロセッサーにより又は専用ハードウェアにより又は両者の組み合わせにより、実施されて良い。また本願明細書では、「有する」の語は、列挙された以外の他の要素又はステップの存在を排除するものではない。単数表記の要素は、複数の要素の存在を排除するものではない。如何なる参照符号も請求の範囲を制限するものではない。「手段」は単数又は複数の要素により実施されて良い。複数の「手段」は同一の要素又はハードウェアにより実施されて良い。
【図面の簡単な説明】
【００５１】
【図１ａ】記録媒体（平面図）を示す。
【図１ｂ】記録媒体（断面図）を示す。
【図２】本発明の、デジタル情報信号を記録する装置を示す。
【図３ａ】非ＭＲＷ型媒体の簡易レイアウトを示す。
【図３ｂ】ＭＲＷ型媒体の簡易レイアウトを示す。
【図４】異なる位置から開始するＭＲＷパーティションとＣＥパーティションを有する、ＤＶＤ＋ＭＲＷブリッジメディアの簡易構造の例を示す。
【図５】ＵＤＦファイルシステムの簡易構造を示す。
【図６】本発明の、ファイルエントリーを共有するＭＲＷ及びＣＥファイル構造を示す。
【図７】本発明の、デジタル情報信号を記録する方法の例を示す。
【図８】本発明の、同じ位置から開始するＭＲＷパーティションとＣＥパーティションを有し、及び欠陥表の予備領域に記録されたＣＥディレクトリエントリーを有する、ＤＶＤ＋ＭＲＷブリッジメディアの簡易構造の例を示す。
【図１ａ】
2007512647.tif 000003
【図１ｂ】
2007512647.tif 000004
【図２】
2007512647.tif 000005
【図３ａ】
2007512647.tif 000006
【図３ｂ】
2007512647.tif 000007
【図４】
2007512647.tif 000008
【図５】
2007512647.tif 000009
【図６】
2007512647.tif 000010
【図７】
2007512647.tif 000011
【図８】
2007512647.tif 000012
【国際調査報告】
2007512647.tif 000013
2007512647.tif 000014